【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
通信ネットワークを介した発信元装置と、１つ以上の目標装置との間のディスパッチ呼出におけるディスパッチ呼出設定方法であって、
ディスパッチ呼出メッセージを１つ以上の目標装置へ送信するメッセージ送信工程と、
１つ以上の目標装置からの応答がディスパッチ呼出に充分か否かを判定する応答判定工程と、
１つ以上の目標装置からの応答が充分な場合、発信元装置と１つ以上の目標装置との間のディスパッチ呼出を完了させる呼出完了工程とから成る方法。
【請求項２】
ディスパッチ呼出メッセージは選択されたディスパッチ呼出設定型の招請メッセージを含み、
１つ以上の目標装置からの応答が不充分な場合、１つ以上の目標装置からの応答を無視する応答無視工程と、
ディスパッチ呼出を終了させる呼出終了工程とをさらに含む請求項１に記載の方法。
【請求項３】
１つ以上の目標装置が招請メッセージを受容した場合、
通信ネットワークを介した発信元装置と１つ以上の目標装置との間のディスパッチ呼出を完了させる呼出完了工程と、
ベアラ・トラフィックを送信するベアラ・トラフィック送信工程とをさらに含む請求項２に記載の方法。
【請求項４】
メッセージ送信工程の後に１つ以上の目標装置から１つ以上の応答を受信する応答受信工程をさらに含む請求項３に記載の方法。
【請求項５】
選択されたディスパッチ呼出設定型を判定する呼出設定型判定工程をさらに含む請求項４に記載の方法。
【請求項６】
選択されたディスパッチ呼出設定型が招請メッセージ型の場合、呼出開始メッセージを送信する工程と、応答を判定する工程と、１つ以上の目標装置からの応答が充分な場合、ディスパッチ呼出を完了させる工程と、ディスパッチ呼出メッセージを含むことと、応答
を無視する工程と、ディスパッチ呼出を終了させる工程と、ディスパッチ呼出を完了させる工程と、ベアラ・トラフィックを送信する工程と、１つ以上の応答を受信する工程と、選択されたディスパッチ呼出設定型を判定する工程とを実行する請求項５に記載の方法。
【請求項７】
選択されたディスパッチ呼出設定型が強制メッセージ型の場合、１つ以上の目標装置へ強制メッセージを送信する強制メッセージ送信工程をさらに含む請求項５に記載の方法。
【請求項８】
強制メッセージ送信工程の後に、
１つ以上の目標装置の強制ディスパッチ呼出への参加の是非を発信元装置が考慮するか否かを判定する考慮判定工程をさらに含み、
発信元装置が考慮しない場合、呼出完了工程とベアラ・トラフィック送信工程とをさらに含む請求項７に記載の方法。
【請求項９】
発信元装置が考慮する場合、
充分な数の１つ以上の目標装置が強制型のディスパッチ呼出を受容したか否かを判定する呼出受容判定工程をさらに含み、
充分な数が受容した場合、トラフィックの工程をさらに含み、
不充分な数が受容した場合、ディスパッチ呼出を終了させる呼出終了工程をさらに含む請求項８に記載の方法。
【請求項１０】
通信ネットワークを介した発信元装置と目標装置との間のディスパッチ呼出におけるディスパッチ呼出設定方法であって、
目標装置がディスパッチ呼出の招請メッセージを受信する招請メッセージ受信工程と、
目標装置のプリセット・プリファレンスを判定するプリファレンス判定工程と、
招請メッセージを受容するか否かを判定する受容判定工程と、
招請メッセージが受容された場合、発信元装置へ受容メッセージを送信する受容メッセージ送信工程とから成る方法。
【請求項１１】
招請メッセージを拒否することが判定された場合、発信元装置へ拒否メッセージを送信する拒否メッセージ送信工程をさらに含む請求項１０に記載の方法。
【請求項１２】
プリセット・プリファレンスがユーザ制御である場合、目標装置がユーザに着信の招請ディスパッチ呼出を通知する招請ディスパッチ呼出通知工程をさらに含む請求項１０に記載の方法。
【請求項１３】
プリセット・プリファレンスが自動受容である場合、
発信元装置へ受容応答メッセージを送信する受容応答メッセージ送信工程と、
ベアラ・トラフィックを受容するベアラ・トラフィック受容工程とをさらに含む請求項１０に記載の方法。
【請求項１４】
プリセット・プリファレンスが招請メッセージの自動拒否である場合、
目標装置が発信元装置へ拒否メッセージを送信する拒否メッセージ送信工程と、
ベアラ・トラフィックの受容を禁止するベアラ・トラフィック受容禁止工程とをさらに含む請求項１０に記載の方法。
【請求項１５】
応答メッセージ送信工程の後に、ベアラ・トラフィックを受容するベアラ・トラフィック受容工程とをさらに含む請求項１４に記載の方法。
【請求項１６】
ディスパッチ呼出メッセージを１つ以上の目標装置へ送信するメッセージ送信工程と、
１つ以上の目標装置からの応答がディスパッチ呼出に充分か否かを判定する応答判定工
程と、
１つ以上の目標装置からの応答が充分な場合、発信元装置と１つ以上の目標装置との間のディスパッチ呼出を完了させる呼出完了工程と、からなる、発信元装置と１つ以上の目標装置との間のディスパッチ呼出におけるディスパッチ呼出設定方法において用いられる、発信元装置。
【請求項１７】
前記ディスパッチ呼出設定方法は、
ディスパッチ呼出メッセージは選択されたディスパッチ呼出設定型の招請メッセージを含むことと、
１つ以上の目標装置からの応答が不充分な場合、１つ以上の目標装置からの応答を無視する応答無視工程と、を含む請求項１６に記載の発信元装置。
【請求項１８】
前記ディスパッチ呼出設定方法は、
１つ以上の目標装置が招請メッセージを受容した場合、
発信元装置と１つ以上の目標装置との間の通信ネットワークを介したディスパッチ呼出を完了させる呼出完了工程と、
ベアラ・トラフィックを送信するベアラ・トラフィック送信工程と、を含む請求項１７に記載の発信元装置。
【請求項１９】
目標装置がディスパッチ呼出の招請メッセージを受信する招請メッセージ受信工程と、
目標装置のプリセット・プリファレンスを判定するプリファレンス判定工程と、
招請メッセージを受容するか否かを判定する受容判定工程と、
招請メッセージが受容された場合、発信元装置へ受容メッセージを送信する受容メッセージ送信工程と、からなる、発信元装置と目標装置との間のディスパッチ呼出におけるディスパッチ呼出設定方法において用いられる、目標装置。
【請求項２０】
前記ディスパッチ呼出設定方法は、招請メッセージを拒否することが判定された場合、発信元装置へ拒否メッセージを送信する拒否メッセージ送信工程を含む請求項１９に記載の目標装置。
【請求項２１】
前記ディスパッチ呼出設定方法は、プリセット・プリファレンスがユーザ制御である場合、目標装置がユーザに着信の招請ディスパッチ呼出を通知する招請ディスパッチ呼出通知工程を含む請求項１９に記載の目標装置。
【請求項２２】
前記ディスパッチ呼出設定方法は、
プリセット・プリファレンスが自動受容である場合、
発信元装置へ受容応答メッセージを送信する受容応答メッセージ送信工程と、
ベアラ・トラフィックを受容するベアラ・トラフィック受容工程と、を含む請求項１９に記載の目標装置。
【請求項２３】
前記ディスパッチ呼出設定方法は、
プリセット・プリファレンスが招請メッセージの自動拒否である場合、
目標装置が発信元装置へ拒否メッセージを送信する拒否メッセージ送信工程と、
ベアラ・トラフィックの受容を禁止するベアラ・トラフィック受容禁止工程と、を含む請求項１９に記載の目標装置。